(57)【要約】【課題】例えば、鋼により堅牢に形成されたボックス型パレットにおける物品の収容方法において、ボックス内での結露の発生を防止し、さらには側壁あるいは底壁などの腐食を防止することができるボックス型パレットおよびボックス型パレットにおける物品の収容方法を提供する。【解決手段】フォークの爪が挿入される水平方向の開口１０が形成された底壁４と、該底壁４から立設された四側壁６，６，８，８とにより一方面が開口して形成されたボックス本体の内部に被収容物を収容するにあたり、前記前記ボックス本体の少なくとも前記四側壁６、６，８，８の内面に沿うように水分吸着体２０，２０を差し込むとともに、この水分吸着体２０により前記ボックス本体内に存在する水分あるいは前記被収容物に付着された水滴などを吸着することを特徴としている。【選択図】図１
2007331778.tif 000002
【特許請求の範囲】
【請求項１】
フォークの爪が挿入される水平方向の開口が形成された底壁と、該底壁から立設された四側壁とにより一方面が開口して形成されたボックス本体と、
前記前記ボックス本体の内面に沿うように装着される水分吸着体と、を備えたことを特徴とするボックス型パレット。
【請求項２】
前記水分吸着体が、シート状のダンボール紙であることを特徴とする請求項１に記載のボックス型パレット。
【請求項３】
フォークの爪が挿入される水平方向の開口が形成された底壁と、該底壁から立設された四側壁とにより一方面が開口して形成されたボックス本体の内部に被収容物を収容するにあたり、
前記前記ボックス本体の少なくとも前記四側壁の内面に沿うように水分吸着体を差し込むとともに、この水分吸着体により前記ボックス本体内に存在する水分あるいは前記被収容物に付着された水滴などを吸着させることを特徴とするボックス型パレットにおける物品の収容方法。
【請求項４】
前記水分吸着体は、前記四側壁の一つの側壁とこの側壁に隣接する他の一つの側壁に対向するように、平面視において略Ｌ字状に形成されており、この略Ｌ字状の水分吸着体を２つ組み合せることにより、前記ボックス本体の周囲四側壁の内面に配置することを特徴とする請求項３に記載のボックス型パレットにおける物品の収容方法。
【請求項５】
前記収容体と前記側壁との間に、前記水分吸着体の倒れ込みを防止する嵌合片を着脱自在に取り付けたことを特徴とする請求項３または４に記載の物品の収容方法。
【請求項６】
前記ボックス本体の底壁上面に、シート状の水分吸着体を装着することを特徴とする請求項３〜５のいずれか１つに記載の物品の収容方法。
【請求項７】
前記水分吸着体は、前記ボックス本体の内部に収容された被収容物を格子状に分割するように差し渡すことを特徴とする請求項３に記載のボックス型パレットにおける物品の収容方法。
【請求項８】
前記水分吸着体は、紙製の板であることを特徴とする請求項３〜７のいずれか１つに記載のボックス型パレットにおける物品の収容方法。
【発明の詳細な説明】
【技術分野】
【０００１】
自動車用ゴム部品等の原料とされる生ゴム（エチレンプロピレンゴム（ＥＰＲ）、スチレンブタジエンゴム（ＳＢＲ）、ブタジエンゴム（ＢＲ）等）は、例えば、１つのブロックの重さが８４０キログラム程度の重さに製造されている。このような大重量の原料は、度重なる積み込み、積み下ろし作業が困難であることから、例えば、特許文献１に開示されているようなボックス型パレットと称される大型のコンテナ内に収容され、コンテナごと搬送されるのが一般的である。
【０００２】
このようなボックス型パレットは、内部に風雨、塵埃などが浸入してしまうことを防止することから、開口部が蓋体により封止され、この状態で多段に積層され保管されている。
【特許文献１】特開平６−１４４４７３号公報
【発明の開示】
【発明が解決しようとする課題】
【０００３】
ところで、この大型のボックス型パレットは、堅牢な構造が要求されることから、フォークの爪が入る台座部分およびこの台座の上に構成される箱体部分の全てが、例えば鋼により形成されている。よって、本体は熱伝導率が高く、直ぐに冷却され易い。そのため、このようなボックス型パレットを用いて温暖多湿な気候条件で積荷をしたり、あるいは寒冷な気候条件で荷降ろしを行った場合には、内部の水分が結露してしまうという問題がある。すると、被収容物によっては結露により品質を損ねてしまう。
【０００４】
また、被収容物として生ゴムなどを収容した場合には、製造工程上、ベールと称されるブロックの表面に、重量比で０．１％〜０．７％程度の水分が付着しているため、この水分を起因として結露が発生し、製品の外観を損ねてしまうという問題があった。
【０００５】
さらに、ボックス内で結露が発生した場合には、鋼からなる側壁あるいは底壁等が腐食してしまう。
本発明は、このような実情に鑑み、例えば、鋼により堅牢に形成されたボックス型パレットにおける物品の収容方法において、ボックス内での結露の発生を防止し、さらには側壁あるいは底壁などの腐食を可及的に防止することができるボックス型パレットおよびボックス型パレットにおける物品の収容方法を提供することを目的としている。
【課題を解決するための手段】
【０００６】
上記目的を達成するための本発明に係るボックス型パレットは、
フォークの爪が挿入される水平方向の開口が形成された底壁と、該底壁から立設された四側壁とにより一方面が開口して形成されたボックス本体と、
前記前記ボックス本体の内面に沿うように装着される水分吸着体と、を備えたことを特徴としている。
このようなボックス型パレットであれば、ボックス本体の内部に存在する水分を、水分吸着体により吸着することができる。
ここで、前記水分吸着体が、シート状のダンボール紙であることが好ましい。
【０００７】
このように水分吸着体がダンボール紙であれば、安価であるとともに取扱いが容易であり、必要に応じて適宜な大きさに調整して使用することが可能である。
また、本発明に係るボックス型パレットにおける物品の収容方法は、
フォークの爪が挿入される水平方向の開口が形成された底壁と、該底壁から立設された
四側壁とにより一方面が開口して形成されたボックス本体の内部に被収容物を収容するにあたり、
前記前記ボックス本体の少なくとも前記四側壁の内面に沿うように水分吸着体を差し込むとともに、この水分吸着体により前記ボックス本体内に存在する水分あるいは前記被収容物に付着された水滴などを吸着させることを特徴としている。
【０００８】
このような本発明によれば、ボックス内の水分が水分吸着体により除去されるので、結露の発生を可及的に防止することができる。
ここで、前記水分吸着体は、前記四側壁の一つの側壁とこの側壁に隣接する他の一つの側壁に対向するように、平面視において略Ｌ字状に形成されており、この略Ｌ字状の水分吸着体を２つ組み合せることにより、前記ボックス本体の周囲四側壁の内面に配置することが好ましい。
【０００９】
このような構成であれば、容易な作業で水分の除去を効果的に行うことができる。
また、本発明では、前記収容体と前記側壁との間に、前記水分吸着体の倒れ込みを防止する嵌合片を着脱自在に取り付けることが好ましい。
このような構成であれば、水分吸着体が倒れてしまうことがない。
【００１０】
さらに、本発明では、前記ボックス本体の底壁上面に、シート状の水分吸着体を装着することが好ましい。
このような構成によれば、底壁に滴下してきた水分を除去することができる。
【００１１】
また、本発明では、前記水分吸着体は、前記ボックス本体の内部に収容された被収容物を格子状に分割するように差し渡しても良い。
また、被収容物の上面に層状に又は最上面のみに水分吸着体を装着しても良い。
【００１２】
このような構成であれば、被収容物を少しづつに仕切ってその水分を除去することができる。
さらに、前記水分吸着体は、紙製の板であっても良い。
【００１３】
このような構成であれば、水分吸着体が安価である。
【発明の効果】
【００１４】
本発明に係るボックス型パレットによれば、ボックス本体内に水分が存在するとしても、その水分をダンボール紙などからなる水分吸着体で吸着することができるので、結露の発生を防止することができる。
【００１５】
本発明に係るボックス型パレットにおける物品の収容方法によれば、ボックス本体の内面に沿うように装着された水分吸着体によりボックス内の水分を積極的に吸着するようにしているので、結露の発生を可及的に防止することができるとともに、この結露の発生に起因して被収容物の外観を損ねてしまうこともない。加えて側壁、底壁などの腐食の発生も防止することができる。また、ダンボール紙などからなる略Ｌ字状の水分吸着体を２つ組み合せることにより、ボックス本体の周囲四側壁の内面、底面及び上面の全てを覆えば、水分を吸着する上で効果的である。
【発明を実施するための最良の形態】
【００１６】
以下、本発明に係るボックス型パレットにおける物品の収容方法について図面を参照しながら説明する。
図１は本発明の一実施例による物品の収容方法で採用されたボックス型パレット２を示したものである。なお、このボックス型パレット２内に収容あるいは保管される被収容物
Ｍは、例えば、自動車部品等の原料となる生ゴム（エチレンプロピレンゴム、スチレンブタジエンゴム、ブタジエンゴム等）である。
【００１７】
例えば、この生ゴムＭ（エチレンプロピレンゴム）は、８４０キログラム程度の重さであり、全重量の０．１〜０．７％程度の水分が表面などに付着されている。
一方、ボックス型パレット２は、例えば、底壁４と、この底壁４から立設された一対の長側壁６，６と一対の短側壁８，８とから構成され、底壁４には、長辺あるいは短辺のどちらからでもフォークの爪が入るように、開口１０，１０が形成されている。また、ボックス本体の上部は開口して形成されている。
【００１８】
長側壁６あるいは短側壁８の外側部表面には、コーナーポスト１２の他、補強用の中間ポスト１４が所定間隔置きに設置されている。
このように形成されたボックス型パレット２に、ベール状の多数の生ゴムＭを収容することを考慮する。その場合、図２に示したように、先ず、平面視で略Ｌ字状の水分吸着体２０が一組用意される。この水分吸着体２０は、例えば、ダンボール紙などから形成されたもので、その長辺と短辺の長さは、ボックス型パレット２の長側壁６あるいは短側壁８の長さに対応している。このような水分吸着体２０が用意されたら、この吸着体２０がボックス本体２の側壁６，８の内面に沿って配置される。そして、吸着体２０が装着された状態から生ゴムＭのブロックが順次投入される。なお、実施例では、生ゴムＭを直方体形状で示したが、生ゴムＭの形状は、何ら限定されるものではなく、球、楕円、塊状など不規則な断面形状であっても良い。なお、生ゴムＭを投入した後に、水分吸着体２０を差し込むようにしても良い。また、水分吸着体２０を差し込んだ後、例えば図２に示したような断面コ字状の嵌合片２２を、水分吸着体２０と側壁６あるいは側壁８との間に着脱自在に取り付けても良い。このように嵌合片２２を装着することにより、水分吸着体２０を確実に側壁６，８に沿わせることができる。
ボックス本体内に生ゴムＭを順次投入し、所定量になったら、ボックス本体の開口部に図示しない蓋体が被着される。この蓋体は、ボックス本体の上部開口を覆う形状であることが好ましいが、開口の内寸に合わせて内蓋の如く配置されても良い。また、場合によっては紙製の蓋体を採用することもできる。このようにしてボックス本体に蓋体を被着すれば、このままの状態に一時的に保管したとしても、塵埃などの浸入を防止することができる。また、蓋体は必須のものではなく、何個かのボックス型パレット２を多段に積層した後、最上部のボックス型パレット２に金属製の蓋体を装着しても良い。いずれにしても、ボックス型パレットの内部に水分吸着体２０を配置することにより、生ゴム２０に付着した水分がこの水分吸着体２０により積極的に吸着されるので、結露の発生を防止することができる。また、水分吸着体２０を配置することにより、生ゴムＭに付着した水分がボックス型パレット２内で結露してしまうこともない。よって、製品の外観を損ねることもない。また、結露による鋼製の底壁４あるいは長側壁６、短側壁８などの腐食を防止できる。
【００１９】
以上、本発明の一実施例によるボックス型パレットにおける物品の収容方法について説明したが、本発明は種々の変更が可能である。
例えば、上記実施例では、平面視Ｌ字状の水分吸着体２０を例示したが、この水分吸着体２０は平面視Ｌ字状に限定されず、一枚物の板材を４つ用意し、これらを長側壁６あるいは短側壁８に沿わせて配置してもよい。又、分割されず、四側壁と底面等を一体に配置しても良い。あるいは、水分吸着体２０を内部空間に格子状に配置しながら、その枠の内部に物品Ｍを収容しても良い。さらには、水平方向に配置しても良く、多数に分散された水分吸着体であっても良い。要は、内部の水分を確実かつ効果的に吸収させるのであれば、水分吸着体２０は、どのような形状であっても良い。また、生ゴムＭの投入の前に、壁面４の上に水分吸着体２０を載置すれば、底壁４の上面に滴下してくる水分を吸収することができる。さらに、水分吸着体は、ダンボール紙の紙製が最も安価であるが、シリカゲ
ルの吸着剤を含有したダンボール紙などを使用することもできる。
【００２０】
また、上記実施例では、側壁６，８を底壁４に一体的に形成した例を示したが、側壁６，８を底壁４に対し、着脱自在な構造であっても良い。側壁６，８が着脱自在であれば、例えば、ボックス型パレットによる運搬後に、そのパレットを分解して持ち帰ることができる。
【００２１】
このように、本発明によれば、ボックス型パレットの内部での結露の発生を防止することができるので、製品の見た目を悪くすることがないのは勿論のこと、側壁６，８、底壁４などの腐食を防止することもできる。
【図面の簡単な説明】
【００２２】
【図１】図１は本発明の一実施例に係る物品の収容方法が実施されるボックス型パレットの概略斜視図である。
【図２】図２は本発明の一実施例で採用された水分吸着体の概略図である。
【符号の説明】
【００２３】
２    ボックス型パレット
４  側壁
６  長側壁
８  短側壁
１０  開口
２０  水分吸着体
【図１】
2007331778.tif 000003
【図２】
2007331778.tif 000004